(57)【要約】【課題】光ファイバの光射出端とレンズとの位置関係を非常に容易にかつ正確に定めることができ、しかもその間での光伝達効率を可及的に向上できる簡単な構造の光照射装置を提供する。【解決手段】光ファイバの光射出端部を保持するファイバ挿通孔を有したファイバ保持部と、このファイバ保持部よりも光進行方向側に設けられたレンズ保持部とを具備し、光ファイバの光射出端から出た光を前記レンズ保持部に保持させたレンズを介して照射対象部位に照明するようにしたものであって、前記ファイバ挿通孔が、光ファイバと略同径をなす同径部と、この同径部よりも大径をなし前記ファイバ保持部の一端面に開口する大径部とからなり、前記同径部に当該光ファイバを貫通させて保持するとともにその同径部から突出した光ファイバの先端部を溶融変形させて前記大径部に嵌合する溶融部を形成し、この溶融部の先端面またはファイバ保持部の一端面に前記レンズを当接させるようにした。【選択図】図２
2004069709.tif 000002
【特許請求の範囲】
【請求項１】
光ファイバの光射出端部を保持するファイバ挿通孔を有したファイバ保持部と、このファイバ保持部よりも光進行方向側に設けられたレンズ保持部とを具備し、光ファイバの光射出端から出た光を前記レンズ保持部に保持させたレンズを介して照射対象部位に照射するようにしたものであって、
　前記ファイバ挿通孔が、光ファイバと略同径をなす同径部と、この同径部よりも大径をなし前記ファイバ保持部の一端面に開口する大径部とからなり、前記同径部に当該光ファイバを貫通させて保持するとともに、その同径部から突出した光ファイバの先端部を溶融変形させて形成した溶融部を前記大径部に嵌合させ、その溶融部の先端面またはファイバ保持部の一端面に前記レンズを当接させていることを特徴とする光照射装置。
【請求項２】
前記光射出端から拡がりながら射出される光が、前記大径部の内面に当たらないように、当該大径部の形状を設定している請求項１記載の光照射装置。
【請求項３】
前記レンズ保持部がレンズを収容して保持するレンズ保持孔を備えたものであって、前記ファイバ保持部を、前記レンズ保持孔と等断面形状をなし軸方向にファイバ挿通孔を貫通させてなる柱状のものとし、レンズを挿入した前記レンズ保持孔の反照射対象部位側に嵌合させて前記溶融部の先端面またはファイバ保持部の一端面に前記レンズを当接させている請求項１又は２記載の光照射装置。
【請求項４】
前記ファイバ保持部が前記レンズ保持孔よりも小径をなすものであって、その内周に前記ファイバ保持部をがた無く嵌合させ、その外周が前記レンズ保持孔にがた無く嵌合する筒状をなすアダプタを更に具備している請求項１、２又は３記載の光照射装置。
【請求項５】
前記アダプタの照射対象部位側に、レンズと当接しこれを固定するためのテーパ面が形成されている請求項４記載の光照射装置。
【請求項６】
筐体に光ファイバをそれぞれ保持する複数のファイバ挿通孔を離散して設けるとともに、前記レンズ保持部に光ファイバ毎にレンズを１つ１つ対応させて保持させるように構成している請求項１、２、３、４又は５記載の光照射装置。
【請求項７】
前記レンズと照射対象部位との間に位置し、中央に前記貫通孔を設けて環状をなすように形成した単一の第２レンズをさらに具備し、この第２レンズによって、前記各レンズから出た照射光を屈折させ前記照射対象部位に集めるように構成している請求項６記載の光照射装置。
【請求項８】
レンズ保持部が円環状をなし、レンズ保持孔をその円周方向に沿って複数間欠的に設けてなるものである請求項１、２、３、４、５、６又は７記載の光照射装置。
【請求項９】
レンズが球状をなすものである請求項１、２、３、４、５、６、７又は８記載の光照射装置。
【請求項１０】
光ファイバの光射出端部を保持するファイバ挿通孔を有したファイバ保持部と、このファイバ保持部よりも光進行方向側に設けられたレンズ保持部とを具備し、光ファイバの光射出端から出た光を前記レンズ保持部に保持させたレンズを介して照射対象部位に照射するようにしたものであって、
　前記ファイバ挿通孔が、光ファイバと略同径をなす同径部と、この同径部よりも大径をなし前記ファイバ保持部の一端面に開口する大径部とからなり、前記同径部に前記光ファイバを貫通させその光射出端を同径部の先端に一致させて保持させるとともに前記ファイバ保持部の一端面に前記レンズを当接させていることを特徴とする光照射装置。
【発明の詳細な説明】
【技術分野】
【０００１】　本発明は、光ファイバを介して供給された光を製品に照射して、製品の外観や傷等の検査、あるいはアラインメントマークの検出等を行う光照射装置に関する。
【背景技術】
【０００２】　従来、特許文献１に示されているように、ハロゲンランプ等の光源装置から複数の光ファイバを介して供給された光をワークに照射して照明する光照射装置が知られている。このような光照射装置は、光源を内蔵しないためコンパクト化や軽量化を図りやすく、設置自由度の向上等にも寄与し得る。【０００３】　その一方、検査すべきワークとして半導体チップやその半導体チップのプリント基板への半田付け部分など、極めて小さな部位に明るい照明を行って精密な検査を必要とする需要が近時増えてきており、そのために照射光をより集光させて、より明るい光をより効率的に照射対象部位に照射する必要が生じてきている。
【特許文献１】　特開平５−２４８８２０号公報
【発明の開示】
【発明が解決しようとする課題】
【０００４】　しかしながらその観点からみると、従来のこの種の光照射装置では、集光面積や集光効率等の点で不十分である。例えば、前記特開平５−１９９４４２号に示される光照射装置では、確かにリングレンズにより光が外部へ逃げることを防止できるものの、リングレンズのラジアル方向への集光のみが行われ、周方向には集光がなされないため、微小面積への十分な集光を行えない。【０００５】　一方、各光ファイバにひとつひとつレンズを取り付けて集光することとした場合には、各光ファイバの光射出端とレンズとの位置関係をすべて均一にする必要がある。これが不均一であると、集光が好適に行われず、照射対象部位の照度にむらが生じる恐れもあるからである。ところが光ファイバが多数になると、各ファイバとレンズとの位置関係をすべて均一に設定することが難しくなる。【０００６】　そこで本発明は、光ファイバの光射出端とレンズとの位置関係を非常に容易にかつ正確に定めることができ、しかもその間での光伝達効率を可及的に向上できる簡単な構造の光照射装置を提供し、上述した問題点を一挙に解決することをその主たる所期課題としたものである。
【課題を解決するための手段】
【０００７】　すなわち本発明にかかる光照射装置は、光ファイバの光射出端部を保持するファイバ挿通孔を有したファイバ保持部と、このファイバ保持部よりも光進行方向側に設けられたレンズ保持部とを具備し、光ファイバの光射出端から出た光を前記レンズ保持部に保持させたレンズを介して照射対象部位に照射するようにしたものであって、前記ファイバ挿通孔が、光ファイバと略同径をなす同径部と、この同径部よりも大径をなし前記ファイバ保持部の一端面に開口する大径部とからなり、前記同径部に当該光ファイバを貫通させて保持するとともに、その同径部から突出した光ファイバの先端部を溶融変形させて形成した溶融部を前記大径部に嵌合させ、その溶融部の先端面またはファイバ保持部の一端面に前記レンズを当接させていることを特徴とする。【０００８】　ここで「ファイバ保持部の一端面」とは、光進行方向側の端面をいい、大径部の開口端も含む意味である。
【発明の効果】
【０００９】　しかしてこのようなものであれば、溶融部が光ファイバの光射出端に連続して形成されしかもその溶融部が大径部に嵌合する一定形状をなすものとなるため、光ファイバの光射出端と、前記溶融部の先端面または前記ファイバ保持部の一端面に当接するレンズとの距離を正確にかつ容易に定めることができる。したがって、例えば複数の光ファイバを環状に配置して所定の照射対象部位に周囲から照明を行う場合等に、各光ファイバから出た光を均一かつ等位置に集光させることができ、当該照射対象部位への集光を無理なく好適に行うことができる。【００１０】　また、溶融部の端面は研磨処理等をなんら施さずとも、鏡面状態にでき、その部分における光伝達を阻害することがないため、端面研磨処理工程の省略を図れる。【００１１】　さらに、溶融部の先端面にレンズが当接するように構成しておけば、光ファイバの光進行方向への押し込み力に対してはレンズが対抗し、その反対方向の引き抜き力に対しては大径部が対抗するため、光ファイバをファイバ挿通孔に接着等しなくとも、確実に保持しておくことができる。【００１２】　照射光の伝達効率に影響を及ぼさないようにするためには、前記光射出端から拡がりながら射出される光が、前記大径部の内面に当たらないように、当該大径部の形状を設定しているものが望ましい。【００１３】　組み立ての容易化を図る具体的実施態様としては、前記レンズ保持部がレンズを収容して保持するレンズ保持孔を備えたものであって、前記ファイバ保持部を、前記レンズ保持孔と等断面形状をなし軸方向にファイバ挿通孔を貫通させてなる柱状のものとし、レンズを挿入した前記レンズ保持孔の反照射対象部位側に嵌合させて前記溶融部の先端面または前記大径部の開口縁部に前記レンズを当接させているものを挙げることができる。【００１４】　大きな径のレンズを用いる場合、当然これを保持するレンズ保持孔の径は大きくなる。しかしながら、比較的精密な加工を必要とし、しかもファイバを挿通させなければならないファイバ保持部の形状を、前記レンズ保持孔に合わせて変えることは、製造設備に負担がかかりコスト等の点からみても好ましいことではない。そこで、標準化されたファイバ保持部を用いつつも、種々のレンズ保持孔に対応できるようにするには、前記ファイバ保持部が前記レンズ保持孔よりも小径をなすものであって、その内周に前記ファイバ保持部をがた無く嵌合させ、その外周が前記レンズ保持孔にがた無く嵌合する筒状をなすアダプタを更に具備しているものが好ましい。【００１５】　この場合、前記アダプタの照射対象部位側に、レンズと当接しこれを固定するためのテーパ面が形成されていれば、レンズを安定して保持できるため、なおよい。【００１６】　本発明の効果が特に顕著となる具体的実施態様としては、前記照射対象部位を観察するための観察孔を有してなる筐体を具備するものであって、前記観察孔の開口周縁部に光ファイバをそれぞれ保持する複数のファイバ挿通孔を等間隔で間欠的に設けるとともに、前記レンズ保持部に光ファイバ毎にレンズを１つ１つ対応させて保持させるように構成しているものを挙げることができる。【００１７】　その場合、集光を更に効果的に行うために、前記レンズと照射対象部位との間に位置し、中央に前記観察孔と同軸をなす貫通孔を設けて環状となるように形成した単一の第２レンズをさらに具備し、この第２レンズによって、前記各レンズから出た照射光を屈折させ前記照射対象部位に集めるように構成しても構わない。【００１８】　具体的なレンズ保持部の態様としては、円環状をなし、レンズ保持孔をその円周方向に沿って複数等間隔に設けてなるものを挙げることができる。【００１９】　レンズとしては球状をなすものがレンズ保持部の構成簡単化等を図れる点で好ましい。【００２０】　また、溶融部は必ずしも必要なく、光ファイバの光射出端とレンズとの距離を正確かつ容易に担保できるものであれば、本発明の基本的作用効果を奏し得る。具体的には、前記ファイバ挿通孔が、光ファイバと略同径をなす同径部と、この同径部よりも大径をなし前記ファイバ保持部の一端面に開口する大径部とからなり、前記同径部に前記光ファイバを貫通させその光射出端を同径部の先端に一致させて保持させるとともに前記ファイバ保持部の一端面に前記レンズを当接させているものが考えられる。
【発明を実施するための最良の形態】
【００２１】　以下に本発明の一実施形態について図面を参照して説明する。【００２２】　本実施形態にかかる光照射装置Ｘ６Ａは、図１に示すような製品検査システムの構成要素として用いられる。【００２３】　この製品検査システムについて簡単に説明しておくと、このものは、水平２軸方向、すなわちＸ軸方向及びＹ軸方向に水平移動可能な可動支持体たるＸＹステージＸ１を利用するもので、このＸＹステージＸ１に支持された光導通管Ｘ２と、その光導通管Ｘ２を介してワークの照射対象部位ＸＷを撮影するための撮像装置Ｘ８と、前記ＸＹステージＸ１とは別の場所に設置した電源Ｘ３と、その電源Ｘ３からロボットケーブルＸ４を介して電力供給されるＬＥＤ光源装置Ｘ５Ａ、Ｘ５Ｂと、前記光導通管Ｘ２の下端部に上下スライド可能に取り付けられ、前記照射対象部位ＸＷの周囲から光（側射光）をあてて照明するための光照射装置Ｘ６Ａと、前記光導通管Ｘ２１の上端部に取り付けられ、その内部に設けた光学部材を介して前記照射対象部位ＸＷの上方から光（落射光）をあてて照明するための第２光照射装置Ｘ６Ｂと、前記ＬＥＤ光源装置Ｘ５Ａ、Ｘ５Ｂから前記光照射装置Ｘ６Ａ、Ｘ６Ｂに光を導くライトガイドたる樹脂製の光ファイバ束Ｘ７Ａ、Ｘ７Ｂとを具備する。【００２４】　そして、図示しない搬送装置により、プリント基板等のワークが搬送されてくると、例えばワークのアラインメントマークを撮像装置Ｘ８から取り込んで、図示しない画像認識部で認識させ、そのアラインメントマークの位置情報を算出するとともに、その位置情報からワークの照射対象部位Ｗの直上に光導通管Ｘ２を位置させるべく、ＸＹステージＸ１を自動制御する。この結果、前記光照射装置Ｘ６Ａ、Ｘ６Ｂから照射された光により、照射対象部位ＸＷが周囲及び直上から照明され、撮像装置Ｘ８によりその精密で影のない好適な画像を得ることができる。なお、このようにしてＸＹステージＸ１の位置制御を行うことにより、逆にワークの位置情報が得られるため、本システムをワークの位置測定システムとして利用したり、その他にバーコード読み取り等として利用したりできるようにしてある。【００２５】　しかして本実施形態に係る光照射装置Ｘ６Ａは、前記ＬＥＤ光源装置Ｘ５Ａから光ファイバ束Ｘ７Ａを介して光を供給され、その光を前記照射対象部位ＸＷに周囲から当てて照明するためのもので、その外径が１０ｍｍ〜３０ｍｍ程度の超小型のものである。この光照射装置Ｘ６Ａは、前記光導通管Ｘ２の照射対象部位側の端部、すなわち下端部に装着してあって、図２〜図４に示すように、前記照射対象部位ＸＷを観察するための観察孔Ｘ６Ｈを有してなる円筒状の筐体Ｘ６Ａ１と、光ファイバ束Ｘ７Ａの一端を保持するファイバ束保持部Ｘ６Ａ２と、前記筐体Ｘ６Ａ１を外側方からカバーするカバー体Ｘ６Ａ３とを備えてなる。【００２６】　詳述すると、筐体Ｘ６Ａ１は、円筒状をなしその内周を前記観察孔Ｘ６Ｈとしている筐体本体Ｘ６Ａ１１と、この筐体本体Ｘ６Ａ１１に外嵌して前記観察孔Ｘ６Ｈの開口周縁部、すなわち照射対象部位ＸＷ側の端部から外側方に鍔状に突出するリング状のレンズ保持部Ｘ６Ａ１２とを備えたものである。【００２７】　このレンズ保持部Ｘ６Ａ１２の鍔状部分には、中心軸線ＸＬが前記照射対象部位ＸＷの中心点を通るように、前記観察孔Ｘ６Ｈの軸線と所定の角度をなして設定されたレンズ保持孔ＸＨＬが円周方向に沿って等間隔で複数設けてある。【００２８】　前記レンズ保持孔ＸＨＬは、図４に拡大して示すように、断面円形状をなしその内径がレンズたるボールレンズＸ９の外径と同一又は略同一のものである。そして、反照射対象部位側から嵌め入れたボールレンズＸ９を、照射対象部位側の一端部において保持する。このレンズ保持孔ＸＨＬにおいて照射対象部位ＸＷ側の前記一端部には若干小径に構成した小径部分ＸＨＬ１が設けてあって、その小径部分ＸＨＬ１にボールレンズＸ９が一端側に抜けないように保持する抜脱禁止部としての機能を担わせている。なお、各レンズ保持孔ＸＨＬにおける照射対象部位ＸＷ側の開口が光の照射口Ｘ６Ａａである。【００２９】　一方、このレンズ保持孔ＸＨＬの他端部には、その内径と同径又は略同径をなす円柱状のファイバ保持部ＸＢが、ボールレンズＸ９の上方への抜け止めも兼ねて圧入等により嵌め入れてある。この円柱部材ＸＢは例えばポリアセタール等の樹脂成形品であり、その中心軸に沿ってファイバ挿通孔ＸＢ１が貫通させて設けてある。そしてそのファイバ挿通孔ＸＢ１に光ファイバＸ７ａを挿通させて保持させている。【００３０】　かかるファイバ挿通孔ＸＢ１は、その照射対象部位ＸＷ側の一端から例えば円錐状に座繰り形成してなる大径部ＸＢ１１と、内径を光ファイバＸ７ａの外径と同一又は略同一に設定してなる同径部ＸＢ１２とからなるもので、同径部ＸＢ１２側から大径部ＸＢ１１に向かって挿通させた光ファイバＸ７ａの先端部をホットプレート等を用いて溶融させ、その溶融部Ｘ７ａ１を前記大径部ＸＢ１１に隙間なく嵌合させてある。そしてコア及びクラッドを有する光ファイバ７ａの実質的な光射出端Ｘ７ａ２が、同径部ＸＢ１２の先端に一致するように構成してある。なお、この大径部ＸＢ１１の拡開角度は、前記光射出端Ｘ７ａ２から発される光の拡がり角度よりも大きいか又は同一に設定してある。【００３１】　ここで光ファイバＸ７ａとボールレンズＸ９の組み込み方法について図５、図６を参照して説明しておく。【００３２】　図５に示すように、まず光ファイバＸ７ａが溶融する所定温度に設定したホットプレートＨＰの平面部に、ファイバ保持部ＸＢをその大径部ＸＢ１１側の端面を密着させて載置する（同図ａ）。なお、ここでホットプレートＨＰの平面部は非常に滑らかな鏡面状をなすものである。次にファイバ挿通孔ＸＢ１に前記同径部ＸＢ１２側から光ファイバＸ７ａを挿入し、その光ファイバＸ７ａの先端を同径部ＸＢ１２を貫通させてホットプレートＨＰの平面部に至らせる（同図ｂ）。このことにより光ファイバＸ７ａの先端部はホットプレートＨＰからの熱で溶融しはじめ、その溶融部Ｘ７ａ１はコアとクラッドの境界のなくなった一様な透明樹脂となる（同図ｃ）。しかしてこの溶融部Ｘ７ａ１は、大径部ＸＢ１１に充満するように拡がっていくので、それに対応するように所定圧で所定時間、光ファイバＸ７ａをさらに送り込む。【００３３】　しかして、前記ホットプレートＨＰの温度、光ファイバＸ７ａの送り込み圧力及び光ファイバＸ７ａの先端がホットプレートＨＰに接触してからの送り込み時間を適宣設定することにより、溶融部Ｘ７ａが大径部に隙間なく充満して嵌合し、その先端面がファイバ保持部ＸＢにおける照射対象部位ＸＷ側の一端面と面一になるようにするとともに、光ファイバＸ７ａの光射出端Ｘ７ａ２の位置が、溶融部Ｘ７ａ１の先端面又はファイバ保持部ＸＢの前記一端面から所定距離離れた部位、具体的には前記同径部ＸＢ１２の先端（大径部ＸＢ１１との境界）となるように構成している。【００３４】　次に、図６に示すように、各ファイバ保持部ＸＢに光ファイバＸ７ａの光射出端部を保持させた状態で、上述したようにレンズ保持孔ＸＨＬの他端部にファイバ保持部ＸＢを嵌め入れ（同図ｂ）、溶融部Ｘ７ａ１の先端面を前記ボールレンズＸ９に当接させる（同図ｃ）。【００３５】　このような構成により、各光ファイバＸ７ａの光射出端面に溶融部Ｘ７ａ１を介してボールレンズＸ９を一つ一つ配置するとともに、各光ファイバＸ７ａの光射出端部における軸線及びボールレンズＸ９の光軸を一致させ、各照射光の光軸が前記照射対象部位ＸＷの所定の１点を向くように設定することにより、照射対象部位ＸＷを周囲から照明するようにしている。なお、各照射光の光軸は前記照射対象部位ＸＷの所定の１点を向く必要は必ずしもなく、用途によっては前記照射対象部位ＸＷの領域中にそれぞれ分散して向くようにしても構わない。【００３６】　ファイバ束保持部Ｘ６Ａ２は、図２等に示すように、筐体Ｘ６Ａ１の外側方に突出させて取り付けられたもので、前述したように、光ファイバ束Ｘ７Ａの一端部を保持する。しかして各光ファイバＸ７ａは、このファイバ束保持部Ｘ６Ａ２までは束としての形態を保ち、ここからは１本１本にばらけて、前記各ファイバ保持部ＸＢ１にそれぞれの光射出端部を保持される。なお、光ファイバ束Ｘ７Ａの他端部にはコネクタＸ７１が取り付けてあって、前記ＬＥＤ光源装置Ｘ５Ａから発せられた照射光を導入できるように構成してある。【００３７】　カバー体Ｘ６Ａ３は、円筒状をなすもので、前記筐体Ｘ６Ａ１の下端部外周面との間に空間ＸＳを形成するようにして当該筐体Ｘ６Ａ１に取り付けられている。そしてその空間ＸＳ内に前記各光ファイバＸ７ａを収容し保護する。【００３８】　しかして、このように構成した本実施形態に係る光照射装置Ｘ６Ａによれば、溶融部Ｘ７ａ１が光ファイバＸ７ａの光射出端Ｘ７ａ２に連続して形成されしかもその溶融部Ｘ７ａ１が大径部ＸＢ１１に嵌合する一定形状をなすものとなるため、光ファイバＸ７ａの光射出端Ｘ７ａ２と、前記溶融部Ｘ７ａ１の先端面に当接するレンズＸ９との距離を正確にかつ容易に定めることができる。したがって、複数の光ファイバＸ７ａを環状に配置しても各光ファイバＸ７ａから出た光を均一に集光させることができ、照射対象部位ＸＷへの集光を無理なく好適に行うことができる。【００３９】　また、溶融部Ｘ７ａ１の先端面は研磨処理等をなんら施さずとも、鏡面仕上げ状態となりその部分における光伝達を阻害することがないため、端面研磨処理工程の省略を図れる。【００４０】　さらに、溶融部Ｘ７ａ１の先端面にレンズＸ９が当接するように構成しているため、光ファイバＸ７ａの光進行方向への押し込み力に対してはレンズＸ９が対抗し、その反対方向の引き抜き力に対しては大径部ＸＢ１１が対抗するため、光ファイバＸ７ａをファイバ挿通孔ＸＢに接着等しなくとも、確実に保持しておくことができる。【００４１】　また、この大径部ＸＢ１１の拡開角度を、光ファイバＸ７ａの光射出端Ｘ７ａ２から発される光の拡がり角度よりも大きいか又は同一に設定しているため、前記光射出端から拡がりながら射出される光が、前記大径部ＸＢ１１の内面に当たることがなく、その部分で照射光の伝達効率に影響を及ぼさないようにすることができる。【００４２】　加えて、光ファイバＸ７ａをファイバ保持部ＸＢに組み込んだ後、そのファイバ保持部ＸＢをレンズ保持孔ＸＨＬに嵌入するようにしているので、組み立ての分業化が図れ、製造効率化を促進できるうえに、このファイバ保持部ＸＢがボールレンズＸ９の抜け止めをも兼ねるため、専用の抜け止め構造を不要にでき構造簡単化にも寄与し得る。【００４３】　なお、本発明は上記実施例に限られるものではない。後述の説明及び図面において上記実施例と対応する部材には同一の符号を付することとする。【００４４】　図７は、レンズＸ９の光軸と光ファイバＸ７ａの光射出端部における軸線とがずれるように設定することにより、レンズＸ９を介して照射光の光軸を曲げ、当該光軸が照射対象部位ＸＷを向くようにした光照射装置Ｘ６の部分断面図である。このようにすれば光ファイバＸ７ａの光射出端部における軸線を、必ずしも前記照射対象部位ＸＷを向くように設定しなくともよい。具体的には、例えばファイバ保持部ＸＢの中心軸から偏位した部位にファイバ挿通孔ＸＨＬを形成すればよい。そしてこの場合には、レンズＸ９は溶融部Ｘ７ａ１の先端面に必ずしも当接せず、ファイバ保持部ＸＢの端面に当接する場合もある。【００４５】　また、図８に示すように、各レンズＸ９からの光をさらに集光させるために、中央に開口部Ｘ７５Ａが形成された単一の集光用第２レンズ（図中はフレネルレンズであるが凸レンズ等、どのようなレンズであってもよい）Ｘ７５を配置して実施することもできる。この場合、前記レンズＸ９はこの第２レンズＸ７５での集光を考慮すれば、光ファイバーＸ７ａからの光をそれぞれ平行光に変換するものが好ましい。【００４６】　さらに、溶融部は必ずしも必要なく、光ファイバの光射出端とレンズとの距離を正確かつ容易に担保できるものであれば、本発明の基本的作用効果を奏し得る。例えば、前記同径部に前記光ファイバを貫通させその光射出端を同径部の先端に一致させて保持させるとともに前記ファイバ保持部の一端面に前記レンズを当接させているものが考えられる。具体的には、図９に示すように、大径部ＸＢ１１の開口周縁にレンズＸ９を当接させ、レンズＸ９の一部が大径部ＸＢ１１の中に入り込むような態様が挙げられる。ここで光ファイバＸ７ａの光射出端Ｘ７ａ１２を同径部ＸＢ１２の先端に一致させるには、何らかの冶具をもちいればよく、光ファイバＸ７ａの保持には接着剤等をもちいればよい。【００４７】　その他、例えばレンズ部材挿入孔の断面を円形以外のものとし、それに対応させてファイバ保持部の形状を変えても構わない。【００４８】　また、ボールレンズＸ９を、図１３に示すように、各個に別体をなさず例えば周縁同士を薄板で一体に接続してなる円環状のものとしてもよい。この場合、ボールレンズＸ９は物理的に繋がってはいるが、機能的には各光ファイバに対してそれぞれ独立した機能を有するものであると考えられる。もちろんレンズは球状ボール型に限られるものではないが、球状のものであれば、どのような姿勢でレンズ保持孔にいれても構わないので組み立てに好適である。【００４９】　加えて、大径部は、円錐凹面状のみならず、例えば図１０に示すように円柱凹面状のものや、図１１に示すように部分凹球面状のものであっても構わない。要は、光射出端から拡がりながら射出される光が、前記大径部の内面に当たらないように、当該大径部の形状を設定しているものが好ましい。【００５０】　さらに、大きな径のレンズを用いる場合、当然これを保持するレンズ保持孔の径は大きくなる。しかしながら、比較的精密な加工を必要とし、しかもファイバを挿通させなければならないファイバ保持部の形状を、前記レンズ保持孔に合わせて変えることは、製造設備に負担がかかりコスト等の点からみても好ましいことではない。【００５１】　そこで、図１２に示すように、前記ファイバ保持部ＸＢが前記レンズ保持孔ＸＨＬよりも小径をなす場合、その内周Ｘ１０ａに前記ファイバ保持部ＸＢをがた無く嵌合させ、その外周Ｘ１０ｂが前記レンズ保持孔ＸＨＬにがた無く嵌合する筒状をなすアダプタＸ１０を更に設けるようにしてもよい。この図におけるアダプタＸ１０は、円筒状をなし、その照射対象部位側に、凹円錐面状のテーパ面Ｘ１０ｃが形成してある。このテーパ面Ｘ１０ｃは、レンズＸ９と当接しこれをがたなく固定する役割を果たす。
【図面の簡単な説明】
【００５２】
【図１】　本発明の一実施形態における光照射装置の全体斜視図。
【図２】　同実施形態における一方の光照射装置の縦断面図。
【図３】　同実施形態における一方の光照射装置の底面図。
【図４】　同実施形態における一方の光照射装置の部分断面図。
【図５】　同実施形態における光ファイバの組み込みを示す組み立て説明図。
【図６】　同実施形態における光ファイバ及びレンズの組み込みを示す組み立て説明図。
【図７】　同実施形態の変形例における光照射装置の部分縦断面図。
【図８】　同実施形態の他の変形例における光照射装置の部分縦断面図。
【図９】　同実施形態のさらに他の変形例における光照射装置の部分縦断面図。
【図１０】　同実施形態のさらに他の変形例における光照射装置の部分縦断面図。
【図１１】　同実施形態のさらに他の変形例における光照射装置の部分縦断面図。
【図１２】　同実施形態のさらに他の変形例における光照射装置の部分縦断面図。
【図１３】　同実施形態のさらに他の変形例におけるレンズの平面図（ａ）及び中央縦断面図（ｂ）。
【符号の説明】
【００５３】Ｘ７ａ・・・光ファイバ
Ｘ７ａ２・・・光射出端
ＸＢ１・・・ファイバ挿通孔
ＸＢ・・・ファイバ保持部
Ｘ６Ａ１２・・・レンズ保持部
Ｘ９・・・レンズ（ボールレンズ）
ＸＷ・・・照射対象部位
ＸＢ１２・・・同径部
ＸＢ１１・・・大径部
Ｘ７ａ１・・・溶融部
ＸＨＬ・・・レンズ保持孔
Ｘ６Ｈ・・・観察孔
Ｘ６Ａ１・・・筐体
Ｘ７５・・・第２レンズ
Ｘ１０・・・アダプタ
【図１】
2004069709.tif 000003
【図２】
2004069709.tif 000004
【図３】
2004069709.tif 000005
【図４】
2004069709.tif 000006
【図５】
2004069709.tif 000007
【図６】
2004069709.tif 000008
【図７】
2004069709.tif 000009
【図８】
2004069709.tif 000010
【図９】
2004069709.tif 000011
【図１０】
2004069709.tif 000012
【図１１】
2004069709.tif 000013
【図１２】
2004069709.tif 000014
【図１３】
2004069709.tif 000015